(57)【特許請求の範囲】
【請求項１】
足場板本体の両端部に下向きに開口した略逆Ｕ字形状のクランプ金具を備え、該クランプ金具の基部に二つのガイド孔を形成したロック金具を二本の支持ピンを介して取り付け、該ロック金具の下端部には建枠横架材を挟持する時に建枠横架材の下面に当接させる挟持用突起を形成し、ロック金具をガイド孔に沿って回動させながら前記挟持用突起をクランプ金具の凹部の下部開口に向けて出没させて建枠横架材を挟持・解除するようにした建設用足場板において、足場板本体の少なくとも一方側のクランプ金具の凹部の下部開口は足場板本体を傾斜させた状態で建枠横架材から抜き出し可能な広さとすると共に、足場板本体を傾斜させた状態でクランプ金具の凹部の下部開口に突出するクランプ金具の基部のロック金具を建枠横架材に押し当てると、前記ロック金具がガイド孔に案内されながらクランプ金具の凹部の下部開口より退避没入して建枠横架材の下面より離間し、クランプ金具の凹部の下部開口を開放状態とするように前記支持ピンとガイド孔を配置形成したことを特徴とする建設用足場板。
【発明の詳細な説明】
【０００１】
【発明の属する技術分野】
本発明は、建設現場の仮設足場に使用される建設用足場板に関する。
【０００２】
【従来の技術】
建設用足場板は建築物の周囲に組み上げられた建枠間に掛け渡されて作業用足場を形成するもので、足場板本体の両端部には実開昭６０−１８４０号公報に記載のように、足場板を建枠の管体より成る横架材に係止する略逆Ｕ字形状のクランプ金具を備えている。そして足場板を掛け渡したときには、クランプ金具の基部に取り付けたロック金具を回動して挟持用突起を突出させて横架材を挟持させ、足場板が風圧によって簡単に吹き上がらないようにしている。
【０００３】
そして、建築工事が終了して作業足場を解体するときには、足場板の四隅のクランプ金具のロック金具を手で回動して横架材の挟持状態を解除し、足場板を建枠から取り外している。
【０００４】
【発明が解決しようとする課題】
しかしながら、上記従来の足場板のロック金具は、挟持状態を解除する位置に一時的に保持できる構造となっているものの、少しの振動でロック金具が回動して元の挟持状態に戻ることがあり、一人で足場板を取り外そうとする時、足場板の片方の端を持ち上げると他方の端のロック金具が回動して挟持状態となることがある。また、従来の足場板のクランプ金具２の凹部は、図７に示すように、建枠の組み立て時の寸法精度を見込んで建枠横架材Ｐよりやや大きめにはしているものの、足場板本体１を傾斜させると凹部の下部開口は建枠横架材Ｐを垂直方向には抜け出せる寸法となっておらず、四隅のロック金具を解除した後、足場板本体をほぼ水平に保ちながら垂直方向に持ち上げないと取り外しができない構造となっている。
【０００５】
そのため、一人作業では取り外し作業がはかどらないこともあり、二人一組で取り外し作業を行うことが多く、解体作業の能率は決して良いとは言えないものであった。
【０００６】
本発明は上記の点に鑑み、一人作業でも簡単に取り外せて解体作業の能率を向上できる建設用足場板を提供することを課題とする。
【０００７】
【課題を解決するための手段】
本発明は上記の課題を達成するために、足場板本体の両端部に下向きに開口した略逆Ｕ字形状のクランプ金具を備え、該クランプ金具の基部に二つのガイド孔を形成したロック金具を二本の支持ピンを介して取り付け、該ロック金具の下端部には建枠横架材を挟持する時に建枠横架材の下面に当接させる挟持用突起を形成し、ロック金具をガイド孔に沿って回動させながら前記挟持用突起をクランプ金具の凹部の下部開口に向けて出没させて建枠横架材を挟持・解除するようにした建設用足場板において、足場板本体の少なくとも一方側のクランプ金具の凹部の下部開口は足場板本体を傾斜させた状態で建枠横架材から抜き出し可能な広さとすると共に、足場板本体を傾斜させた状態でクランプ金具の凹部の下部開口に突出するクランプ金具の基部のロック金具を建枠横架材に押し当てると、前記ロック金具がガイド孔に案内されながらクランプ金具の凹部の下部開口より退避没入して建枠横架材の下面より離間し、クランプ金具の凹部の下部開口を開放状態とするように前記支持ピンとガイド孔を配置形成したことを特徴としている。
【０００８】
【発明の実施の形態】
本発明に係る建設用足場板にあっては、組み上げた建枠の横架材の間に掛け渡した足場板を解体しようとするときには、足場板本体の一端側のクランプ金具のロック金具を操作して挟持状態を解除し、足場板の一端側を上方に持ち上げる。この足場板の一端側を持ち上げた状態で足場板を傾斜方向に沿って斜め下方向に押し下げると、他端側に配設したクランプ金具のロック金具の凹部側に面する縁部が建枠横架材に押し当たり、その押圧力によってロック金具が凹部より退避没入する。次に、足場板を傾斜させた状態で上方向に持ち上げると、クランプ金具の凹部の下部開口を足場板の傾斜状態で建枠横架材から抜き出し可能な広さにしているために支障なく横架材より取り外すことができる。
【０００９】
このように、足場板一端側のクランプ金具のロック金具を手で操作して挟持状態を解除した後、この足場板を持ち上げた状態で、他端側のクランプ金具のロック金具に手を触れずに挟持状態を解除して足場板を取り外すことができ、一人で取り外し作業が容易に行えて解体作業の能率を向上させることができる。
【００１０】
【実施例】
以下、本発明の実施例を図面に基づいて説明する。
【００１１】
図１は本発明に係る建設用足場板を示すもので、足場板本体１の両端の四隅には、略逆Ｕ字形状のクランプ金具２を備えており、該クランプ金具２には図２に示すように建枠横架材Ｐを嵌め入れる凹部３を備えており、該凹部３は凹部３の中心部を挟んで水平方向に略６．５ｍｍの距離Ｌ２を隔てた二つの中心から略２２ｍｍの半径ｒによって描かれる円弧により形成されている。
【００１２】
これは、図７に示す従来のクランプ金具の凹部の二つの中心Ｏ、Ｏ´間の距離Ｌ１の３ｍｍより更に３．５ｍｍ広くしたもので、図５に示すように、足場板本体１を傾斜させた状態で持ち上げれば、建枠横架材Ｐから抜き出すことができる広さを確保するものである。
【００１３】
また、クランプ金具２の基部には建枠横架材Ｐの側面を挟持するロック金具４を配設している。ロック金具４は、図２に示すように、その凹部３側に位置する縁部５を建枠横架材Ｐの外周に沿うように湾曲させると共に、ロック金具４の下端部には建枠横架材Ｐを挟持する時に建枠横架材Ｐの下面に当接させる挟持用突起６を形成しており、該挟持用突起６の先端は建枠横架材Ｐを挟持したときに建枠横架材Ｐの断面中心の真下付近まで突出するように形成されている。
【００１４】
また、ロック金具４の挟持用突起６をクランプ金具２の凹部３に対して出没自在とするために、ロック金具４に穿設した二つのガイド孔７、８に二本の支持ピン９、１０を介してロック金具４をクランプ金具２に取り付け、ガイド孔７、８に案内されながらロック金具４の挟持用突起６をクランプ金具２の凹部３に対し出没自在とし、建枠横架材Ｐの挟持・解除をできるようにしている。
【００１５】
前記支持ピン９、１０の配置及びガイド孔７、８の孔形状は、足場板本体１を傾斜させた状態で傾斜方向に沿って斜め下方向に押し下げると、クランプ金具２の凹部３に突出するロック金具４の縁部５が建枠横架材Ｐに押し当たり、図５に示すように、その押圧力によってロック金具４が凹部３より退避没入するような配置と孔形状とする。図２に示すクランプ金具２では、支持ピン１０を支持ピン９位置より若干右側上方としクランプ金具２が退避しやすいような配置とし、またガイド孔７、８も傾斜時にロック金具４の縁部５側を押すとスムーズに退避没入できる形状に工夫している。
【００１６】
また、ガイド孔８は略Ｌ字形状として係止部１１を形成し、図５に示すように、ロック金具４がクランプ金具２の凹部３より退避没入時に係止部１１に支持ピン１０を嵌め入れてロック金具４を係止してずり落ちないようにしている。
【００１７】
次に、本発明に係る足場板の取り外し方法について説明する。
【００１８】
足場板は、図３に示すように、対向させた建枠の建枠横架材Ｐに足場板本体１両端のクランプ金具２を嵌め入れて係止されている。そして、工事が完了して足場板を取り外すときには、先ず、図４に示すように、足場板本体１の一端側のクランプ金具２のロック金具４を操作して挟持状態を解除し、そのまま足場板本体１を上方に持ち上げて足場板の一端部を建枠横架材Ｐから外す。
【００１９】
足場板の一端側を外すと足場板本体１は傾斜状態となる。そこで、図４に示すように、傾斜状態になった足場板本体１をその状態で斜め下方に押し下げると、図５に示すように、下方のクランプ金具２のロック金具４の縁部５が横架材Ｐに押し当てられることになり、その作用でロック金具４が凹部３より退避没入するように回動する。そして所定位置まで回動するとロック金具４のガイド孔８の係止部１１に支持ピン１０が嵌り込んでロック金具４を係止してずり落ちないようにする。
【００２０】
この状態になると、図６に示すように、傾斜状態の足場板本体１を垂直方向に持ち上げると、クランプ金具２の凹部３の下部開口を建枠横架材Ｐから抜き出しできる広さとしているので、建枠横架材Ｐより簡単に取り外すことができる。
【００２１】
このように、足場板の一端のクランプ金具２の挟持を解除して持ち上げ、この状態で足場板の傾斜方向に沿って斜め下方向に押し下げると、他端側のクランプ金具２のロック金具４の挟持を手を触れずに解除できて足場板を簡単に取り外せるので、作業員一人で簡単に取り外し作業が行えて解体作業の能率を向上できる。
【００２２】
なお、この足場板を取り付けるときには、ロック金具４のガイド孔８の係止部１１を支持ピン１０に嵌め込んでロック金具４を係止し、この状態で建枠横架材Ｐに掛け渡してからロック金具４を挟持状態とする。ロック金具４が挟持状態となっていると、風圧による足場板の吹き上げが起こっても、クランプ金具２に備えたロック金具４の挟持用突起６が横架材Ｐの下面に当接して挟持状態を維持し、足場板が外れることはない。
【００２３】
なお、本実施例のクランプ金具２を足場板の両端に取り付けると、ロック金具の解除側をいちいち選択せずに取り外すことができて好都合であるが、足場板の一端側のみを本実施例のクランプ金具２とすることもできる。
【００２４】
【発明の効果】
以上説明したように、本発明に係る建設用足場板によれば、足場板本体の少なくとも一方側のクランプ金具の凹部の下部開口は足場板本体を傾斜させた状態で建枠横架材から抜き出し可能な広さとすると共に、足場板本体を傾斜させた状態でクランプ金具の凹部の下部開口に突出するクランプ金具の基部のロック金具を建枠横架材に押し当てると、前記ロック金具がガイド孔に案内されながらクランプ金具の凹部の下部開口より退避没入して建枠横架材の下面より離間し、クランプ金具の凹部の下部開口を開放状態とするように前記支持ピンとガイド孔を配置形成したので、足場板取り外し時に、足場板の一端側のクランプ金具を手作業により外して持ち上げ、この傾斜状態で傾斜方向に押し下げれば他端側のロック金具を手を触れずに外すことができ、一人作業でも簡単に足場板の取り外し作業を行え、解体作業の能率を向上できる。
【図面の簡単な説明】
【図１】本発明に係る建設用足場板の正面図である。
【図２】図１のクランプ金具を示す説明図である。
【図３】本発明に係る建設用足場板の使用状況を説明する説明図である。
【図４】本発明に係る建設用足場板の使用状況を説明する説明図である。
【図５】本発明に係る建設用足場板の使用状況を説明する説明図である。
【図６】本発明に係る建設用足場板の使用状況を説明する説明図である。
【図７】従来の建設用足場板の図２に相当する説明図である。
【符合の説明】
１…足場板本体                  ２…クランプ金具
３…凹部                        ４…ロック金具
５…縁部                        ６…挟持用突起
７、８…ガイド孔                  ９、１０…支持ピン
１１…係止部                      Ｐ…建枠横架材
【図１】
0003996993.tif 000002
【図２】
0003996993.tif 000003
【図３】
0003996993.tif 000004
【図４】
0003996993.tif 000005
【図５】
0003996993.tif 000006
【図６】
0003996993.tif 000007
【図７】
0003996993.tif 000008